(57)【要約】【課題】簡単な構成で、製造コストが低く、且つ高度な遮光性を実現可能な光学部品の漏光防止方法、およびこの方法を用いて作製した光学部品を提供すること。【解決手段】複数の光学部材を有する光学部品における、該光学部材間から滲み出るフレアー光を防止するため、前記光学部材間にフレアー光吸収部材を含む領域を設けることを特徴とする光学部品の漏光防止方法、及び光学部品。【選択図】    図３
2004334026.tif 000002
【特許請求の範囲】
【請求項１】
複数の光学部材を有する光学部品における、該光学部材間から滲み出るフレアー光を防止するための光学部品の漏光防止方法であって、
前記光学部材間にフレアー光吸収部材を含む領域を設けることを特徴とする光学部品の漏光防止方法。
【請求項２】
前記光学部材間の光学濃度差が少なくとも０．５以上となる領域を有することを特徴とする請求項１に記載の光学部品の漏光防止方法。
【請求項３】
前記光学部品が、写真用の多色ウエッジであることを特徴とする請求項１または２に記載の光学部品の漏光防止方法。
【請求項４】
前記光学部品が、多段階濃度を有するラインパターンを含む鮮鋭度測定用チャートであることを特徴とする請求項１〜３のいずれか１項に記載の光学部品の漏光防止方法。
【請求項５】
基板上に複数の光学部材を設け、該複数の光学部材の間にフレアー光吸収部材を含む領域を設けた光学部品。
【請求項６】
前記光学部材間の光学濃度差が少なくとも０．５以上となる領域を有することを特徴とする請求項５に記載の光学部品。
【請求項７】
前記光学部材として、少なくとも色フィルターを有する請求項５または６に記載の光学部品。
【請求項８】
前記光学部材がある面と反対の基板上に、色フィルターに濃度分布を与えるための光学濃度に分布をもった金属蒸着面がある請求項７に記載の光学部品。
【請求項９】
前記フレアー光吸収部材を含む領域と基板との間に金属蒸着物を設けた請求項５〜８のいずれか１項に記載の光学部品。
【発明の詳細な説明】
【０００１】
【発明の属する技術分野】
本発明は複数の色フィルターなどの光学部材を含む光学部品の、該光学部材間でのフレアー光発生を防止する漏光防止方法、およびこの方法を用いて作製した光学部品に関する。
【０００２】
【従来の技術】
センシトメトリー用光学ウエッジは、通常は、例えば２色以上のフィルターを透明な接着剤で接着させて作成されるが、各色の濃度がその接合部にて極端に変化しているため、その接合部から光が入り込み、それが感光材料に露光されるとき余分なフレアーを生じさせていた。
これを解決するために、２つのフィルターを組み込む場合に、光学部材と光学部材を接着する所に、黒色接着剤を使用する例が開示されている（例えば、特許文献１参照）。
【０００３】
【特許文献１】
特開２００３−８４１０４号公報
【０００４】
【発明が解決しようとする課題】
しかしながら、このような技術では、光学濃度の低い光学部材から光学濃度の高い光学部材へ、その接合部を通して光が滲み出る、いわゆる「フレアー」は黒色接着剤層で解消できるが、光学部材と光学部材の接着を接着剤で行うために、光学部材と光学部材との隙間を大きくすることができず、製造の自由度が著しく制限され、製造コストが高くなるという問題があった。
【０００５】
本発明は、上記事情に鑑みてなされたもので、その目的とするところは、従来の技術における問題を解消し、簡単な構成で、製造コストが低くて、高度な遮光性を実現可能な光学部品の漏光防止方法、およびこの方法を用いて作製した光学部品を提供することにある。
【０００６】
【課題を解決するための手段】
上記目的を達成するため、本発明に係る光学部品の漏光防止方法は、複数の光学部材を有する光学部品における、該光学部材間から滲み出るフレアー光を防止するための光学部品の漏光防止方法であって、前記光学部材間にフレアー光吸収部材を含む領域を設けることを特徴とする。
【０００７】
前記フレアー光吸収部材を含む領域は、特に、光学濃度差の大きな光学部材同士の端面間に設けることが望ましい。
【０００８】
本発明に係る光学部品の漏光防止方法は、該光学部品が光学部材間の光学濃度差が少なくとも０．５以上となる領域を有する場合に、該領域にフレアー光吸収部材を設ける場合に有効である。すなわち、複数の光学部材同士で、その光学濃度差が少なくとも０．５以上となる領域を有する場合に、該領域にフレアー光吸収部材を設けると、該光学部材間からの漏光防止に有効である。さらに、前記光学濃度差が１．３以上である場合にはさらに有効であり、前記光学濃度差が２以上である場合にはより一層有効である。
【０００９】
一方、本発明に係る光学部品は、基板上に複数の光学部材を設け、該複数の光学部材の間にフレアー光吸収部材を含む領域を設けることを特徴とする。
フレアー光を吸収する物質を含む領域は、フレアー光を吸収する物質の他に、接着剤を含んでいてもよい。例えば、フレアー光吸収物質として赤外透過性ガラス、そのガラスの端面に黒色接着剤領域を設けたものが上記領域を形作るものの具体例である。
【００１０】
ここで、光学部品の好ましい具体例としては、写真用の多色ウエッジ、あるいは、多段階の濃度を有するラインパターンを含む鮮鋭度測定用チャートなどを挙げることができる。
【００１１】
本発明の方法では、光学部材間の幅、すなわちフレアー光吸収部材を含む領域を１ｍｍ以上にしても接着剤の幅は狭くできるので複数の光学部材を安定して固定することができる。黒色接着剤のみを使用する方法では、せいぜい１００μｍ位しか前記光学部材同士の間隔を開けることができないが、それに比べると本発明の方法あるいは光学部品は格段の設計上の自由度を持つ。
【００１２】
【発明の実施の形態】
以下、添付の図面に基づいて、本発明の実施の形態を詳細に説明する。
なお、以下に説明する実施形態においては、写真用の多色ウエッジを例に挙げて説明する。
【００１３】
図１〜図３に、本発明の一実施形態である写真用多色ウエッジを示す。図１に示すのは、多色ウエッジの平面図と縦断面図で、図３に示すのがその横断面図である。本実施形態の多色ウエッジでは、図３の断面図に示すように、ガラス基板の一方の表面にクロム金属が蒸着され、もう一方の表面には青色フィルターと赤色フィルターが設けられている。蒸着クロム金属は青色及び赤色の色フィルターに露光量変化を与える金属蒸着である。
【００１４】
図２は、上述の、青、赤の色フィルターに共通の露光量変化を与えるための、クロム金属蒸着層の光学特性を示すグラフであり、横軸が位置（図１に示すウエッジの水平方向の位置）、縦軸が光学濃度を示している。蒸着クロム金属の膜厚は連続的に厚くし、その膜厚の増加にしたがって、図２に示すように光学濃度も連続的に高くなっている。
【００１５】
なお、ここでは、クロム金属蒸着層は、青、赤の色フィルターに同一の露光量変化を与えるような、共通の濃度変化パターンを有するものを用いているが、青、赤の色フィルターのそれぞれに対して、異なった露光量変化を与えるような、それぞれに異なった濃度変化パターンを有するものを用いる場合も考えられる。
また、図２に示されているように、ここでは光学濃度が最大４．８程度ある。この光学濃度の大きさが、光学部材間での濃度差をもたらし、従来、フレアーが発生し易い原因にもなっていた。
【００１６】
図３に示すように、青色フィルターと赤色フィルターとの光学部材間にフレアー光を吸収する部材を含む領域が設けられている。フレアー光吸収部材としては、具体的にはここでは赤外光透過性ガラスが設けられている。この赤外光透過性ガラスにより、この領域を通過するフレアー光を吸収し、外部に漏れないようにしている。さらに、ガラス基板と赤外光透過性ガラスとの間に、フレアー光を遮断するため金属を蒸着した面を設けることにより、フレアー光の遮蔽効果を高めている。
【００１７】
フレアー光を吸収する部材は、フレアー光を吸収するものであれば何でもよいが、通常、フレアー光は可視光線であるので可視光線を吸収する部材がよく、特に赤外透過性部材は安価な点で好ましい。また材質もガラスの他、プラスチックなどでも使用できる。具体的には赤外透過性ガラスが好ましい。
【００１８】
赤外透過性部材の光学濃度は１．０以上、より好ましくは３．０以上がよい。
光学部材間、例えば青色フィルターと赤色フィルターとの間の領域の幅は、図３の具体例では１ｍｍであるが、０．１〜１０ｍｍが適当である。
【００１９】
フレアー光吸収部材をフィルターに固定するときは、接着剤を使用できるが、このとき黒色接着剤を使用すると、フレアー光吸収部材と青色フィルターまたは赤色フィルターとの間にできる隙間を通るフレアー光を吸収できるので、さらに好ましい。
【００２０】
図１〜図３で表される例の作成方法は下記の通りである。
まず一方の表面にクロム金属が連続的に厚みを増すように蒸着されているガラス基板の反対側の表面に、このガラス基板の上に設ける青色フィルターと赤色フィルターの隙間の位置にその隙間とほぼ同じ長さ（図１の水平方向の長さ、本実施形態では１０ｃｍとした）で、幅が隙間の幅（図３の水平方向の長さ、本実施形態では１ｍｍとした）よりやや大きくなるように（本実施形態では１．２ｍｍとした）クロム金属が、光学濃度がほぼ３程度になるように蒸着される。そして、この上に青、赤の色フィルターを透明接着剤で貼り付け、２つの色フィルターの間の隙間に赤外透過性ガラスが黒色接着剤で色フィルターに固定され、完成となる。これによりフレアー光は完全に遮断される。
【００２１】
なお、特許文献１の方法では、色フィルター間の隙間を１ｍｍにする場合には、色フィルターを精度よく固定することはできない。
【００２２】
上記の濃度変化パターンを設けるためやフレアー光を遮断するために蒸着する物質としては、上記クロム金属以外にも、アルミニウム、ニッケル、インコーネル合金、クロメルなどが使用できる。
【００２３】
図１〜３に示される光学ウエッジを富士フイルム製のカラーペーパーＳｕｐｅｒ  ＦＡ９Ｇに露光し現像したとき、滲みはまったく現れなかった。
【００２４】
【発明の効果】
以上、詳細に説明したように、本発明によれば、簡単な構成で、高度な遮光性を実現可能な光学部品の漏光防止方法、およびこの方法を用いて作製した光学部品を提供することが可能である。
【００２５】
特に、本発明は、写真用の多色ウエッジにおける色の滲みの防止効果、あるいは、鮮鋭度測定用チャート（ＣＴＦチャートおよびＭＴＦチャート）における光の回り込みの防止効果は、実用上極めて大きなものがある。
【図面の簡単な説明】
【図１】本発明の一実施形態に係る写真用の多色ウエッジの平面図及び縦断面図である。
【図２】図１の青、赤の色フィルターに共通の露光量変化を与えるためのクロム金属蒸着層の光学特性を示すグラフである。
【図３】図１に示した多色ウエッジの横断面図である。
【図１】
2004334026.tif 000003
【図２】
2004334026.tif 000004
【図３】
2004334026.tif 000005